(57)【要約】【課題】画像データの属性情報を送信するために新たな信号を設けることなく、既存の信号を用いて属性情報の伝達を効果的に行うこと。【解決手段】画像データの存在範囲を示すデータイネーブル信号を送信する送信装置の信号変更部２６２が、画像データの属性情報に基づいてデータイネーブル信号の送信タイミングを変更し、送信処理部２６３が、データイネーブル信号の受信タイミングに基づいて属性情報を抽出する表示制御装置に、信号変更部２６２により変更された送信タイミングでデータイネーブル信号を送信する。【選択図】図２
2013198025.tif 000002
【特許請求の範囲】
【請求項１】
画像データの存在範囲を示すデータイネーブル信号を送信する送信装置であって、
前記画像データの属性情報に基づいて前記データイネーブル信号の送信タイミングを変更する信号変更部と、
前記データイネーブル信号の受信タイミングに基づいて前記属性情報を抽出する表示制御装置に、前記信号変更部により変更された送信タイミングで前記データイネーブル信号を送信する送信処理部と、
を備えることを特徴とする送信装置。
【請求項２】
前記信号変更部は、前記属性情報、および、前記データイネーブル信号の送信タイミングの変更量と前記属性情報との間の対応関係を示す情報に基づいて、前記データイネーブル信号の送信タイミングを変更することを特徴とする請求項１に記載の送信装置。
【請求項３】
前記属性情報は、前記画像データの表示位置の情報を含むことを特徴とする請求項１または２に記載の送信装置。
【請求項４】
前記属性情報は、前記画像データが静止画像データか否かを示す情報を含むことを特徴とする請求項１〜３のいずれか１項に記載の送信装置。
【請求項５】
画像データの存在範囲を示すデータイネーブル信号を受信し、該データイネーブル信号に基づいて画像の表示を制御する表示制御装置であって、
前記画像データの属性情報に基づいて変更された送信タイミングで送信された前記データイネーブル信号を受信する受信処理部と、
該受信処理部が前記データイネーブル信号を受信した受信タイミングに基づいて前記画像データの属性情報を抽出する属性情報抽出部と、
該属性情報抽出部により抽出された属性情報に基づいて前記画像を生成する画像生成部と、
を備えることを特徴とする表示制御装置。
【請求項６】
前記属性情報抽出部は、前記受信タイミング、および、前記送信タイミングの変更量と前記属性情報との間の対応関係を示す情報に基づいて、前記属性情報を抽出することを特徴とする請求項５に記載の表示制御装置。
【請求項７】
前記属性情報は、前記画像データの表示位置の情報を含むことを特徴とする請求項５または６に記載の表示制御装置。
【請求項８】
前記属性情報は、前記画像データが静止画像データか否かを示す情報を含むことを特徴とする請求項５〜７のいずれか１項に記載の表示制御装置。
【請求項９】
画像データの存在範囲を示すデータイネーブル信号を送信する送信装置と、前記データイネーブル信号を受信し、該データイネーブル信号に基づいて画像の表示を制御する表示制御装置とを備える表示装置であって、
前記送信装置は、
前記画像データの属性情報に基づいて前記データイネーブル信号の送信タイミングを変更する信号変更部と、
前記表示制御装置に、前記信号変更部により変更された送信タイミングで前記データイネーブル信号を送信する送信処理部と、
を備え、
前記表示制御装置は、
前記送信装置により変更された送信タイミングで送信された前記データイネーブル信号を受信する受信処理部と、
該受信処理部が前記データイネーブル信号を受信した受信タイミングに基づいて前記画像データの属性情報を抽出する属性情報抽出部と、
該属性情報抽出部により抽出された属性情報に基づいて前記画像を生成する画像生成部と、
を備えることを特徴とする表示装置。
【請求項１０】
前記信号変更部は、前記属性情報、および、前記データイネーブル信号の送信タイミングの変更量と前記属性情報との間の対応関係を示す情報に基づいて、前記データイネーブル信号の送信タイミングを変更することを特徴とする請求項９に記載の表示装置。
【請求項１１】
前記属性情報抽出部は、前記受信タイミング、および、前記送信タイミングの変更量と前記属性情報との間の対応関係を示す情報に基づいて、前記属性情報を抽出することを特徴とする請求項９または１０に記載の表示装置。
【請求項１２】
前記属性情報は、前記画像データの表示位置の情報を含むことを特徴とする請求項９〜１１のいずれか１項に記載の表示装置。
【請求項１３】
前記属性情報は、前記画像データが静止画像データか否かを示す情報を含むことを特徴とする請求項９〜１２のいずれか１項に記載の表示装置。
【請求項１４】
静止画像と重畳される動画像の表示タイミング制御用の同期信号を送信する送信装置であって、
前記静止画像の画像データの属性情報、および、前記同期信号の信号幅と前記属性情報との間の対応関係を示す情報に基づいて、前記同期信号の信号幅を変更する信号変更部と、
前記同期信号の信号幅および前記同期信号の信号幅の変更量と前記属性情報との間の対応関係を示す情報に基づいて前記属性情報を抽出する表示制御装置に、前記信号変更部により変更された信号幅の同期信号を送信する送信処理部と、
を備えることを特徴とする送信装置。
【請求項１５】
前記属性情報は、前記画像データの表示位置の情報を含むことを特徴とする請求項１４に記載の送信装置。
【請求項１６】
前記属性情報は、前記画像データが静止画像データか否かを示す情報を含むことを特徴とする請求項１４または１５に記載の送信装置。
【請求項１７】
静止画像と重畳される動画像の表示タイミング制御用の同期信号を受信し、該同期信号に基づいて画像の表示を制御する表示制御装置であって、
前記静止画像の画像データの属性情報および前記同期信号の信号幅の変更量と前記属性情報との間の対応関係を示す情報に基づいて信号幅が変更された同期信号を受信する受信処理部と、
前記受信処理部が受信した同期信号の信号幅、および、前記対応関係を示す情報に基づいて、前記画像データの属性情報を抽出する属性情報抽出部と、
該属性情報抽出部により抽出された属性情報に基づいて前記画像を生成する画像生成部と、
を備えることを特徴とする表示制御装置。
【請求項１８】
前記属性情報は、前記画像データの表示位置の情報を含むことを特徴とする請求項１７に記載の表示制御装置。
【請求項１９】
前記属性情報は、前記画像データが静止画像データか否かを示す情報を含むことを特徴とする請求項１７または１８に記載の表示制御装置。
【請求項２０】
静止画像と重畳される動画像の表示タイミング制御用の同期信号を送信する送信装置と、前記同期信号を受信するとともに、該同期信号に基づいて画像の表示を制御する表示制御装置とを備える表示装置であって、
前記送信装置は、
前記静止画像の画像データの属性情報、および、前記同期信号の信号幅の変更量と前記属性情報との間の対応関係を示す情報に基づいて前記同期信号の信号幅を変更する信号変更部と、
前記表示制御装置に、前記信号変更部により変更された信号幅の同期信号を送信する送信処理部と、
を備え、
前記表示制御装置は、
前記送信装置により信号幅が変更された同期信号を受信する受信処理部と、
該受信処理部が受信した同期信号の信号幅、および、前記対応関係を示す情報に基づいて、前記画像データの属性情報を抽出する属性情報抽出部と、
該属性情報抽出部により抽出された属性情報に基づいて前記画像を生成する画像生成部と、
を備えることを特徴とする表示装置。
【請求項２１】
前記属性情報は、前記画像データの表示位置の情報を含むことを特徴とする請求項２０に記載の表示装置。
【請求項２２】
前記属性情報は、前記画像データが静止画像データか否かを示す情報を含むことを特徴とする請求項２０または２１に記載の表示装置。
【発明の詳細な説明】
【技術分野】
【０００１】
本発明は、送信装置、表示制御装置、および、表示装置に関し、詳しくは、画像データの存在範囲を示すデータイネーブル信号を送信する送信装置、データイネーブル信号を受信し、データイネーブル信号に基づいて画像の表示を制御する表示制御装置、静止画像と重畳される動画像の表示タイミング制御用の同期信号を送信する送信装置、同期信号を受信し、同期信号に基づいて画像の表示を制御する表示制御装置、送信装置と受信装置とを備える表示装置に関する。
【背景技術】
【０００２】
近年、テレビやパーソナルコンピュータ用モニタなどの表示装置では、４Ｋ２Ｋなどの高解像度の表示が可能となってきている。４Ｋ２Ｋとは、横方向の画素数が３８４０、縦方向の画素数が２１６０である解像度のことである。
【０００３】
一方、テレビ放送やブルーレイディスクなどの動画像の映像ソースでは、２Ｋ１Ｋの解像度が主流である。２Ｋ１Ｋとは、横方向の画素数が１９２０、縦方向の画素数が１０８０である解像度のことである。
【０００４】
このような映像ソースからの動画像が、４Ｋ２Ｋの解像度の表示装置により表示される場合には、スケーリングにより２Ｋ１Ｋの解像度が４Ｋ２Ｋの解像度に変換されるのが一般的である。
【０００５】
また、一般的な表示装置では、動画像に重畳して静止画像を表示することができる。静止画像とは、例えば、テレビ番組表やインターネットのブラウザ、表示装置の設定画面などの画像である。
【０００６】
２Ｋ１Ｋの解像度の静止画像を高解像度の表示装置が表示する場合、動画像と同様に静止画像をスケーリングすることが考えられるが、静止画像は画素値が不連続に変化することが多いためスケーリングに向いていない。
【０００７】
よって、静止画像ははじめから４Ｋ２Ｋ等の高解像度で出力し、スケーリング後の動画像とそのまま重畳することが望ましい。また、近年では、４Ｋ２Ｋの高解像度で静止画像を生成可能なＣＰＵ（Ｃｅｎｔｒａｌ  Ｐｒｏｃｅｓｓｉｎｇ  Ｕｎｉｔ）も開発されている。
【０００８】
また、静止画像を生成し、生成した静止画像と動画像を送信する送信装置と、静止画像および動画像を受信し、静止画像を動画像に重畳して表示する表示装置とを接続する通信経路が、２Ｋ１Ｋを超える解像度の静止画像のデータをそのまま伝送することができない場合、送信装置は、４Ｋ２Ｋの静止画像の画像データを分割して送信する必要がある。
【０００９】
この場合、送信装置は、送信するデータが動画像のデータか静止画のデータかを示す種別情報や、分割の結果得られた画像データがどの位置に表示される画像のデータかを示す表示位置情報を受信装置に送信する必要がある。
【００１０】
特許文献１には、画面上でポインティングデバイスにより指示された位置（Ｘ，Ｙ）を検出し、画像信号の水平同期信号のトレーリングエッジのタイミングをＸに対応させて遅らせ、また垂直同期信号のトレーリングエッジのタイミングをＹに対応させて遅らせ、その結果得られた水平同期信号、および、垂直同期信号を画像信号の同期信号として伝送する画像伝送装置が開示されている。
【００１１】
特許文献２には、音声信号を時間軸圧縮し、時間軸圧縮された音声信号と、映像信号と、信号受信側における制御で用いられる制御信号とを時分割多重し、その結果得られた信号を伝送路を介して信号受信装置に送信する信号送信装置が開示されている。
【００１２】
また、特許文献３には、アンテナが受信した動画像データと、伝送ケーブルで伝送可能な解像度の画像に分割された静止画像データとを表示装置に送信するとともに、送信するデータが動画像データか静止画像データかを識別する識別信号を表示装置に送信する受信装置が開示されている。
【先行技術文献】
【特許文献】
【００１３】
【特許文献１】特開２００２−２６２２４７号公報
【特許文献２】特開２０１１−２２３６１８号公報
【特許文献３】特開２０１０−１３０５４４号公報
【発明の概要】
【発明が解決しようとする課題】
【００１４】
しかしながら、特許文献１の従来技術では、画面上で指示された位置の情報を直接水平同期信号や垂直同期信号のトレーリングエッジのタイミングに反映させるものであり、送信するデータが動画像のデータか静止画のデータかを示す情報まで送信するものではない。また、水平同期信号や垂直同期信号のトレーリングエッジが映像信号の有効画像期間内に存在することになり、規格化された同期信号の送信フォーマットから大きく外れることとなる。
【００１５】
また、特許文献２の従来技術では、音声信号、映像信号、制御信号が時分割多重で送信されるため、この場合も信号の送信フォーマットの規格から大きく外れることになる。また、特許文献３の従来技術では、動画像データか静止画像データかを識別する識別信号が同期信号とは別に送信されるため、識別信号を送信するための通信経路を確立することが必要となる。
【００１６】
本発明は、上記実情に鑑み、画像データの属性情報を送信するために新たな信号を設けることなく、既存の信号を用いて属性情報の伝達を効果的に行うことを可能とする送信装置、表示制御装置、表示装置を提供することを目的とする。
【課題を解決するための手段】
【００１７】
上記課題を解決する為に、本発明の第１の技術手段は、画像データの存在範囲を示すデータイネーブル信号を送信する送信装置であって、前記画像データの属性情報に基づいて前記データイネーブル信号の送信タイミングを変更する信号変更部と、前記データイネーブル信号の受信タイミングに基づいて前記属性情報を抽出する表示制御装置に、前記信号変更部により変更された送信タイミングで前記データイネーブル信号を送信する送信処理部と、を備えることを特徴とする。
【００１８】
本発明の第２の技術手段は、第１の技術手段において、前記信号変更部は、前記属性情報、および、前記データイネーブル信号の送信タイミングの変更量と前記属性情報との間の対応関係を示す情報に基づいて、前記データイネーブル信号の送信タイミングを変更することを特徴とする。
【００１９】
本発明の第３の技術手段は、第１または第２の技術手段において、前記属性情報は、前記画像データの表示位置の情報を含むことを特徴とする。
【００２０】
本発明の第４の技術手段は、第１〜第３のいずれかの技術手段において、前記属性情報は、前記画像データが静止画像データか否かを示す情報を含むことを特徴とする。
【００２１】
本発明の第５の技術手段は、画像データの存在範囲を示すデータイネーブル信号を受信し、該データイネーブル信号に基づいて画像の表示を制御する表示制御装置であって、前記画像データの属性情報に基づいて変更された送信タイミングで送信された前記データイネーブル信号を受信する受信処理部と、該受信処理部が前記データイネーブル信号を受信した受信タイミングに基づいて前記画像データの属性情報を抽出する属性情報抽出部と、該属性情報抽出部により抽出された属性情報に基づいて前記画像を生成する画像生成部と、を備えることを特徴とする。
【００２２】
本発明の第６の技術手段は、第５の技術手段において、前記属性情報抽出部は、前記受信タイミング、および、前記送信タイミングの変更量と前記属性情報との間の対応関係を示す情報に基づいて、前記属性情報を抽出することを特徴とする。
【００２３】
本発明の第７の技術手段は、第５または第６の技術手段において、前記属性情報は、前記画像データの表示位置の情報を含むことを特徴とする。
【００２４】
本発明の第８の技術手段は、第５〜第７のいずれかの技術手段において、前記属性情報は、前記画像データが静止画像データか否かを示す情報を含むことを特徴とする。
【００２５】
本発明の第９の技術手段は、画像データの存在範囲を示すデータイネーブル信号を送信する送信装置と、前記データイネーブル信号を受信し、該データイネーブル信号に基づいて画像の表示を制御する表示制御装置とを備える表示装置であって、前記送信装置は、前記画像データの属性情報に基づいて前記データイネーブル信号の送信タイミングを変更する信号変更部と、前記表示制御装置に、前記信号変更部により変更された送信タイミングで前記データイネーブル信号を送信する送信処理部と、を備え、前記表示制御装置は、前記送信装置により変更された送信タイミングで送信された前記データイネーブル信号を受信する受信処理部と、該受信処理部が前記データイネーブル信号を受信した受信タイミングに基づいて前記画像データの属性情報を抽出する属性情報抽出部と、該属性情報抽出部により抽出された属性情報に基づいて前記画像を生成する画像生成部と、を備えることを特徴とする。
【００２６】
本発明の第１０の技術手段は、第９の技術手段において、前記信号変更部は、前記属性情報、および、前記データイネーブル信号の送信タイミングの変更量と前記属性情報との間の対応関係を示す情報に基づいて、前記データイネーブル信号の送信タイミングを変更することを特徴とする。
【００２７】
本発明の第１１の技術手段は、第９または第１０の技術手段において、前記属性情報抽出部は、前記受信タイミング、および、前記送信タイミングの変更量と前記属性情報との間の対応関係を示す情報に基づいて、前記属性情報を抽出することを特徴とする。
【００２８】
本発明の第１２の技術手段は、第９〜第１１のいずれかの技術手段において、前記属性情報は、前記画像データの表示位置の情報を含むことを特徴とする。
【００２９】
本発明の第１３の技術手段は、第９〜第１２のいずれかの技術手段において、前記属性情報は、前記画像データが静止画像データか否かを示す情報を含むことを特徴とする。
【００３０】
本発明の第１４の技術手段は、静止画像と重畳される動画像の表示タイミング制御用の同期信号を送信する送信装置であって、前記静止画像の画像データの属性情報、および、前記同期信号の信号幅と前記属性情報との間の対応関係を示す情報に基づいて、前記同期信号の信号幅を変更する信号変更部と、前記同期信号の信号幅および前記同期信号の信号幅の変更量と前記属性情報との間の対応関係を示す情報に基づいて前記属性情報を抽出する表示制御装置に、前記信号変更部により変更された信号幅の同期信号を送信する送信処理部と、を備えることを特徴とする。
【００３１】
本発明の第１５の技術手段は、第１４の技術手段において、前記属性情報は、前記画像データの表示位置の情報を含むことを特徴とする。
【００３２】
本発明の第１６の技術手段は、第１４または第１５の技術手段において、前記属性情報は、前記画像データが静止画像データか否かを示す情報を含むことを特徴とする。
【００３３】
本発明の第１７の技術手段は、静止画像と重畳される動画像の表示タイミング制御用の同期信号を受信し、該同期信号に基づいて画像の表示を制御する表示制御装置であって、前記静止画像の画像データの属性情報および前記同期信号の信号幅の変更量と前記属性情報との間の対応関係を示す情報に基づいて信号幅が変更された同期信号を受信する受信処理部と、前記受信処理部が受信した同期信号の信号幅、および、前記対応関係を示す情報に基づいて、前記画像データの属性情報を抽出する属性情報抽出部と、該属性情報抽出部により抽出された属性情報に基づいて前記画像を生成する画像生成部と、を備えることを特徴とする。
【００３４】
本発明の第１８の技術手段は、第１７の技術手段において、前記属性情報は、前記画像データの表示位置の情報を含むことを特徴とする。
【００３５】
本発明の第１９の技術手段は、第１７または第１８の技術手段において、前記属性情報は、前記画像データが静止画像データか否かを示す情報を含むことを特徴とする。
【００３６】
本発明の第２０の技術手段は、静止画像と重畳される動画像の表示タイミング制御用の同期信号を送信する送信装置と、前記同期信号を受信するとともに、該同期信号に基づいて画像の表示を制御する表示制御装置とを備える表示装置であって、前記送信装置は、前記静止画像の画像データの属性情報、および、前記同期信号の信号幅の変更量と前記属性情報との間の対応関係を示す情報に基づいて前記同期信号の信号幅を変更する信号変更部と、前記表示制御装置に、前記信号変更部により変更された信号幅の同期信号を送信する送信処理部と、を備え、前記表示制御装置は、前記送信装置により信号幅が変更された同期信号を受信する受信処理部と、該受信処理部が受信した同期信号の信号幅、および、前記対応関係を示す情報に基づいて、前記画像データの属性情報を抽出する属性情報抽出部と、該属性情報抽出部により抽出された属性情報に基づいて前記画像を生成する画像生成部と、を備えることを特徴とする。
【００３７】
本発明の第２１の技術手段は、第２０の技術手段において、前記属性情報は、前記画像データの表示位置の情報を含むことを特徴とする。
【００３８】
本発明の第２２の技術手段は、第２０または第２１の技術手段において、前記属性情報は、前記画像データが静止画像データか否かを示す情報を含むことを特徴とする。
【発明の効果】
【００３９】
本発明によれば、データイネーブル信号の送信タイミング、または、同期信号の信号幅を変更することにより、画像データの属性情報を送信することとしたので、画像データの属性情報を送信するために新たな信号を設けることなく、既存の信号を用いて属性情報の送受信を効果的に行うことができる。
【図面の簡単な説明】
【００４０】
【図１】本発明の実施形態１に係る表示装置の構成について説明する図である。
【図２】図１に示した送信装置の送信部および表示制御装置の受信部の詳細について説明する図である。
【図３】垂直同期信号、水平同期信号、データイネーブル信号、画像データの一般的な送信タイミングについて説明する図である。
【図４】図３の送信タイミングの図を水平同期信号の送信周期で区切って示した図である。
【図５】データイネーブル信号の送信タイミングの変更処理の例を示す図である。
【図６】送信タイミングの変更と種別情報および表示位置情報との関係の一例を示す図である。
【図７】データイネーブル信号の送信タイミングの変更処理の他の例を示す図である。
【図８】送信タイミングの変更と、種別情報および表示位置情報との関係の別の例を示す図である。
【図９】送信タイミングの変更量について説明する図である。
【図１０】送信装置の送信部が行う属性信号の送信処理の処理手順を示すフローチャートである。
【図１１】表示制御装置が行う画像表示処理の処理手順の一例を示すフローチャートである。
【図１２】垂直同期信号や水平同期信号の幅の変更処理の例を示す図である。
【図１３】垂直同期信号や水平同期信号の幅の変更処理の他の例を示す図である。
【図１４】垂直同期信号や水平同期信号の幅の変更量について説明する図である。
【図１５】送信装置の送信部が行う属性信号の送信処理の処理手順を示すフローチャートである。
【図１６】表示制御装置が行う画像表示処理の処理手順の一例を示すフローチャートである。
【図１７】本発明が適用されたＬＶＤＳ技術について説明する図である。
【発明を実施するための形態】
【００４１】
以下、本発明の実施形態について図面を参照して詳細に説明する。
【００４２】
（実施形態１）
図１は、本発明の実施形態１に係る表示装置１０の構成について説明する図である。図１に示すように、表示装置１０は、表示部１１、送信装置２０、表示制御装置３０を備える。表示部１１は、液晶パネルなどの表示デバイスである。
【００４３】
送信装置２０は、チューナ部２１、デコード部２２、制御部２３、フレーム切替部２４、フレーム切替制御部２５、送信処理部２６を備える。
【００４４】
チューナ部２１は、テレビ放送などの放送信号を受信するチューナである。デコード部２２は、放送信号のデコードを行い、動画像データを生成する処理部である。この動画像データは、例えば、フレーム周波数が６０Ｈｚ、解像度が１９２０×１０８０（以下、「２Ｋ１Ｋ」と呼ぶ。）の画像データである。
【００４５】
制御部２３は、静止画像のデータを生成するＣＰＵ（Ｃｅｎｔｒａｌ  Ｐｒｏｃｅｓｓｉｎｇ  Ｕｎｉｔ）などのデバイスである。この制御部２３は、画面の設定メニューの画像データなど、ＯＳＤ（Ｏｎ−Ｓｃｒｅｅｎ  Ｄｉｓｐｌａｙ）機能により表示される静止画像のデータを生成したり、放送信号に含まれる番組表情報やインターネットのブラウザなどの静止画像のデータを生成したりする。
【００４６】
ここで、制御部２３は、解像度が３８４０×２１６０（以下、「４Ｋ２Ｋ」と呼ぶ。）である静止画像のデータを生成する。しかし、送信装置２０と表示制御装置３０とを接続する通信経路でデータを伝送可能な画像の解像度が最大で２Ｋ１Ｋであるとすると、４Ｋ２Ｋの解像度の画像のデータを送信することができないので、制御部２３は、静止画像を４分割し、その結果得られた２Ｋ１Ｋの解像度の静止画像のデータを出力する。
【００４７】
さらに、制御部２３は、生成したデータが静止画像データであることを示す種別情報、および、分割の結果得られた静止画像がどの位置に表示されるものかを示す表示位置情報を、後に説明する送信部２６に属性情報として送信する。
【００４８】
フレーム切替部２４は、デコード部２２により生成された動画像データのフレームと、制御部２３により生成された静止画像データのフレームとを交互に出力する処理部である。例えば、フレーム切替部２４は、６０Ｈｚのフレーム周波数で入力された各フレームの画像データを、１２０Ｈｚのフレーム周波数で出力する。
【００４９】
フレーム切替制御部２５は、フレーム切替部２４を制御して、フレーム切替部２４に動画像データのフレームと、静止画像データのフレームとを交互に出力させる処理部である。フレーム切替制御部２５は、さらに、その切り替えのタイミングを示す同期トリガ信号を送信部２６に出力する。
【００５０】
送信部２６は、表示制御装置３０に動画像データ、および、静止画像データを送信する処理部である。また、送信部２６は、画像の表示タイミングを制御するための垂直同期信号、水平同期信号、および、画像データの存在範囲を示すデータイネーブル（ＤＥ：Ｄａｔａ  Ｅｎａｂｌｅ）信号を送信する。
【００５１】
さらに、送信部２６は、上述した属性情報を表示制御装置３０に送信する。この属性情報は、データイネーブル信号の送信タイミングを変更することにより、データイネーブル信号に埋め込まれて送信される。
【００５２】
この属性情報には、送信する画像データが静止画像データか否かを示す種別情報と、画像データが静止画像データである場合の表示位置を示す表示位置情報が含まれる。このように、表示制御装置３０に、種別情報と表示位置情報とを送信することにより、表示制御装置３０に静止画像を効率的に表示させることができる。なお、属性情報の具体的な送信方法については後に詳しく説明する。
【００５３】
表示制御装置３０は、受信部３１、３２、画像スケーリング部３３、画像生成部３４、画質調整部３５、表示制御部３６、制御部３７を備える。
【００５４】
受信部３１、３２は、送信装置２０により送信された画像データ、垂直同期信号、水平同期信号、データイネーブル信号を受信するとともに、受信したデータイネーブル信号から属性情報を抽出する処理部である。
【００５５】
属性情報には、画像データが動画像のデータか静止画のデータかを示す種別情報や、画像データがどの位置に表示される画像のデータかを示す表示位置情報が含まれる。属性情報の抽出方法については後に詳しく説明する。
【００５６】
画像スケーリング部３３は、送信装置２０から受信した動画像データを用いて、動画像のスケーリング処理を実行し、スケーリング処理実行後の動画像データを画像生成部３４に出力する処理部である。
【００５７】
具体的には、画像スケーリング部３３は、受信部３１により抽出された種別情報に基づいて動画像データと静止画データとを識別し、動画像データを検出する。そして、画像スケーリング部３３は、２Ｋ１Ｋの解像度の動画像を４Ｋ２Ｋの解像度の動画像に拡大し、拡大の結果得られた動画像データを画像生成部３４に出力する。
【００５８】
画像生成部３４は、動画像と静止画像とを重畳した画像の画像データを生成する処理部である。具体的には、画像生成部３４は、受信部３２により抽出された種別情報に基づいて動画像データと静止画データとを識別し、静止画像データを検出する。
【００５９】
また、画像生成部３４は、画像スケーリング部３３から受信した動画像データと、静止画像データを用いて、動画像に静止画像を重畳した画像データを生成する。その際、画像生成部３４は、受信部３２により抽出された表示位置情報に基づいて、静止画像の表示位置を特定し、特定した表示位置に静止画像を配置する。
【００６０】
画質調整部３５は、画像生成部３４により生成された画像データの画像の画質を調整する処理部である。表示制御部３６は、画質調整部３５により画質が調整された画像の画像信号を表示部１１に出力し、表示部１１に画像を表示させる処理部である。制御部３７は、表示部１１、および、表示制御装置３０の各処理部を制御する制御部である。
【００６１】
つぎに、図１に示した送信装置２０の送信部２６、および、表示制御装置３０の受信部３１、３２について詳しく説明する。図２は、図１に示した送信装置２０の送信部２６、および、表示制御装置３０の受信部３１の詳細について説明する図である。なお、図２には、受信部３１の詳細について示してあるが、受信部３２の詳細も同様のものであるため、ここではその説明を省略する。
【００６２】
送信部２６は、送信バッファ２６１、信号変更部２６２、送信処理部２６３を備える。送信バッファ２６１は、動画像データや静止画像データを一時的に蓄積するバッファメモリである。信号変更部２６２は、制御部２３から取得した属性情報に基づいて、データイネーブル信号の送信タイミングを変更する処理部である。
【００６３】
以下で、この送信タイミングの変更処理について説明する。図３は、垂直同期信号、水平同期信号、データイネーブル信号、画像データの一般的な送信タイミングについて説明する図である。図３には、１フレーム分の送信タイミングが示されている。
【００６４】
図３に示す期間においては、１回の垂直同期信号の送信と、複数回の水平同期信号の送信が行われる。また、画像データの送信タイミングに同期させて、データイネーブル信号が送信される。
【００６５】
図４は、図３の送信タイミングの図を水平同期信号の送信周期で区切って示した図である。この例では、データイネーブル信号は、ＬＩＮＥ  Ｎ以降のタイミングで送信されている。
【００６６】
また、図５は、データイネーブル信号の送信タイミングの変更処理の例を示す図である。図５には、すべてのデータイネーブル信号の送信タイミングが、Ｈ−ＣＯＵＮＴ方向に１クロック分、Ｖ−ＣＯＵＮＴ方向に−１ＬＩＮＥ分変更される例が示されている。
【００６７】
図６は、送信タイミングの変更と、種別情報および表示位置情報との対応関係の一例を示す図である。図６においては、送信タイミングの変更量が、（Ｘ，Ｙ）（Ｘ＝−１，０，＋１、Ｙ＝−１，０，＋１）で示されている。ここで、Ｘは、図５におけるＨ−ＣＯＵＮＴ方向のオフセット量であり、Ｙは、図５におけるＶ−ＣＯＵＮＴ方向のオフセット量である。
【００６８】
また、図６（Ａ）において、「Ｇ」は、画像データの種別が静止画像データであることを示し、「左上」、「左中央」、「左下」、「中央上」、「中央下」、「右上」、「右中央」、「右下」は、この静止画像データが、図６（Ｂ）に示すように、それぞれ左上、左中央、左下、中央上、中央下、右上、右中央、右下の位置に表示される画像データであることを示す。
【００６９】
例えば、表示制御装置３０に送信する画像データが静止画像データであり、その静止画像データにより表示される静止画像の表示位置が右上である場合、送信タイミングの変更量は、図６（Ａ）の対応関係から（＋１，−１）となる。
【００７０】
よって、信号変更部２６２は、図５に示したように、すべてのデータイネーブル信号の送信タイミングをＨ−ＣＯＵＮＴ方向に１クロック分、Ｖ−ＣＯＵＮＴ方向に−１ＬＩＮＥ分変更する。
【００７１】
なお、表示制御装置３０に送信する画像データが動画像データである場合、図６（Ａ）の対応関係に示されるように、属性情報は無く、信号変更部２６２は、属性情報の送信を行わない。
【００７２】
すなわち、信号変更部２６２は、図６（Ａ）に送信タイミングの変更量が（０，０）と示されているように、データイネーブル信号の送信タイミングの変更は行わない。この場合、動画像データに対しては、図６（Ｂ）に示すように、２Ｋ１Ｋの画像を４Ｋ１Ｋの画像に拡大するスケーリング処理が行われる。
【００７３】
なお、図５では、すべてのデータイネーブル信号に対して、送信タイミングの変更を行ったが、１つのデータイネーブル信号に対してのみ送信タイミングの変更を行うこととしてもよい。
【００７４】
図７は、データイネーブル信号の送信タイミングの変更処理の他の例を示す図である。図７では、ＬＩＮＥ  Ｎのデータイネーブル信号の送信タイミングが、Ｈ−ＣＯＵＮＴ方向に１クロック分変更されている。これは、図６（Ａ）の対応関係により明らかなように、静止画像データを送信する場合であって、静止画像の表示位置が右中央である場合に対応する。
【００７５】
なお、図７では、ＬＩＮＥ  Ｎのデータイネーブル信号の送信タイミングをＨ−ＣＯＵＮＴ方向に１クロック分変更したが、Ｖ−ＣＯＵＮＴ方向にも変更することとしてもよい。この場合、静止画像に不要な横線が入ったり、静止画像の一部が表示されなくなったりするのを避けるため、ＬＩＮＥ  Ｎ以外のＬＩＮＥのデータイネーブル信号についても、ＬＩＮＥ  Ｎのデータイネーブル信号と同じ分だけ、送信タイミングをＶ−ＣＯＵＮＴ方向に変更することとしてもよい。
【００７６】
また、図６に示した送信タイミングの変更と、種別情報および表示位置情報との関係は、図６に示したものに限定されず、他の関係を用いることとしてもよい。図８は、送信タイミングの変更と、種別情報および表示位置情報との関係の別の例を示す図である。
【００７７】
図８の例では、画像データが静止画像データであり、静止画像の表示位置が左上、左下、中央、上横長、下横長、右上、右下、右縦長である場合に、送信タイミングの変更量がそれぞれ（−１，−１）、（−１，０）、（−１，＋１）、（０，−１）、（０，＋１）、（＋１，−１）、（＋１，０）、（＋１，＋１）に設定されている。
【００７８】
また、画像データが動画像データであり、送信する属性情報が無い場合、送信タイミングの変更量が（０，０）に設定されている。この場合、データイネーブル信号の送信タイミングの変更は行われず、動画像データに対して、図８（Ｂ）に示すように、２Ｋ１Ｋの画像を４Ｋ１Ｋの画像に拡大するスケーリング処理が行われる。
【００７９】
なお、上述した例では、データイネーブル信号の送信タイミングを、Ｈ−ＣＯＵＮＴ方向に±１クロック分、Ｖ−ＣＯＵＮＴ方向に±１ＬＩＮＥ分変更する場合について説明したが、送信タイミングの変更量はこれに限定されるものではない。
【００８０】
図９は、送信タイミングの変更量について説明する図である。ここで、Ｈ−Ｔｏｔａｌは、１水平ライン当たりの画素数であり、Ｈ−Ｓｙｎｃは、水平同期信号の長さであり、Ｈ−Ｓｔａｒｔは、１水平ラインの左端から画像の開始領域までの距離であり、Ｈ−Ａｃｔｉｖｅは、画像の横の長さである。
【００８１】
また、Ｖ−Ｔｏｔａｌは、１垂直ライン当たりの画素数であり、Ｖ−Ｓｙｎｃは、垂直同期信号の長さであり、Ｖ−Ｓｔａｒｔは、１垂直ラインの上端から画像の開始領域までの距離であり、Ｖ−Ａｃｔｉｖｅは、画像の縦の長さである。
【００８２】
例えば、図９には、上述した各パラメータの一般的な値として、Ｈ−Ｔｏｔａｌ＝２２００、Ｈ−Ｓｙｎｃ＝１６、Ｈ−Ｓｔａｒｔ＝３８、Ｈ−Ａｃｔｉｖｅ＝１９２０という値が示されている。この場合、Ｈ−ＣＯＵＮＴ方向の変更可能量は、図９に示した位置を基準として、Ｈ−Ａｃｔｉｖｅの区間を左右にシフト可能な範囲となる。すなわち、Ｈ−ＣＯＵＮＴ方向の変更可能量は、−２１（＝１６−３８＋１）〜＋２４１（＝２２００−１９２０−３８−１）の範囲となる。ここで、「＋１」は、Ｈ−Ａｃｔｉｖｅの区間がＨ−Ｓｙｎｃの区間と連続しないようにするため、「−１」はＨ−Ａｃｔｉｖｅの区間の右端がＨ−Ｔｏｔａｌの区間の右端と一致するのを防ぐためのものである。
【００８３】
また、図９には、上述した各パラメータの一般的な値として、Ｖ−Ｔｏｔａｌ＝１１２５、Ｖ−Ｓｙｎｃ＝５、Ｖ−Ｓｔａｒｔ＝２５、Ｖ−Ａｃｔｉｖｅ＝１０８０という値が示されている。この場合、Ｖ−ＣＯＵＮＴ方向の変更可能量は、図９に示した位置を基準として、Ｖ−Ａｃｔｉｖｅの区間を上下にシフト可能な範囲となる。すなわち、Ｖ−ＣＯＵＮＴ方向の変更可能量は、−１９（＝５−２５＋１）〜＋１９（＝１１２５−１０８０−２５−１）の範囲となる。ここで、「＋１」は、Ｖ−Ａｃｔｉｖｅの区間がＶ−Ｓｙｎｃの区間と連続しないようにするため、「−１」はＶ−Ａｃｔｉｖｅの区間の下端がＶ−Ｔｏｔａｌの区間の下端と一致するのを防ぐためのものである。
【００８４】
よって、この場合、静止画像データの表示位置として、９９５６（＝（２１＋２４１）×（１９＋１９））の位置を表現することができる。また、さらに表示位置情報の種類を増やす場合には、図４に示したようなデータイネーブル信号の送信タイミングの変更量を、データイネーブル信号ごとに別々に設定することとすればよい。
【００８５】
図２の説明に戻ると、送信処理部２６３は、表示制御装置３０の受信部３１、３２に対して、画像データ、垂直同期信号、水平同期信号、データイネーブル信号を送信する処理部である。送信処理部２６３は、動画像データ４０１、４０２と、静止画像データ４１１、４１２を交互に送信する。また、データイネーブル信号は、図５〜図８で説明したような方法で、画像データの種別情報と表示位置情報とが埋め込まれた信号である。
【００８６】
また、表示制御装置３０の受信部３１は、受信処理部３１１、受信バッファ３１２、属性情報抽出部３１３を備える。
【００８７】
受信処理部３１１は、送信装置２０の送信部２６により送信された画像データ、垂直同期信号、水平同期信号、データイネーブル信号を受信する処理部である。受信バッファ３１２は、受信処理部３１１が受信した画像データを一時的に記憶するバッファメモリである。
【００８８】
属性情報抽出部３１３は、受信処理部３１１が受信したデータイネーブル信号の送信タイミングの変更量を検出し、図６（Ａ）や図８（Ａ）に示したような対応関係を用いて、画像データの属性情報を抽出する処理部である。
【００８９】
送信タイミングの変更量の検出は、属性情報抽出部３１３が記憶している送信タイミングの規定値からのずれを検出することにより行われる。上述したように、この属性情報には、画像データの種別情報および表示位置情報が含まれる。
【００９０】
このように、データイネーブル信号の送信タイミングの変更量と属性情報との間の対応関係を示す情報に基づいて、データイネーブル信号の送信タイミングを変更し、また、属性情報を抽出することとしたので、画像データの属性情報を送信するために新たな信号を設けることなく、既存のデータイネーブル信号を用いて属性情報の伝達を効果的に行うことができる。
【００９１】
つぎに、送信装置２０の送信部２６が行う属性信号の送信処理について説明する。図１０は、送信装置２０の送信部２６が行う属性信号の送信処理の処理手順を示すフローチャートである。
【００９２】
まず、送信部２６は、フレーム切替制御部２５から同期トリガ信号を受信すると（ステップＳ１０１）、制御部２３により生成された属性情報があるか否かを判定する（ステップＳ１０２）。
【００９３】
属性情報がない場合（ステップＳ１０２においてＮＯの場合）、送信部２６は、予め規定された送信タイミングでデータイネーブル信号および動画像データを送信し（ステップＳ１０３）、この処理は終了する。
【００９４】
属性情報がある場合（ステップＳ１０２においてＹＥＳの場合）、送信部２６は、図６（Ａ）や図８（Ａ）に例を示したような対応関係に基づき、属性情報に対応する送信タイミングの変更量を決定する（ステップＳ１０４）。
【００９５】
そして、送信部２６は、決定された送信タイミングでデータイネーブル信号および静止画像データを表示制御装置３０に送信し（ステップＳ１０５）、この処理は終了する。
【００９６】
つぎに、表示制御装置３０が行う画像表示処理の処理手順について説明する。図１１は、表示制御装置３０が行う画像表示処理の処理手順の一例を示すフローチャートである。
【００９７】
まず、表示制御装置３０の受信部３２は、データイネーブル信号を検出する（ステップＳ２０１）。そして、受信部３２は、データイネーブル信号の送信タイミングの変更があったか否かを判定する（ステップＳ２０２）。
【００９８】
送信タイミングの変更がなかった場合（ステップＳ２０２においてＮＯの場合）、表示制御部３６は、画像スケーリング部３３によりスケーリング処理がなされた動画像を表示部１１に表示させ（ステップＳ２０３）、この処理は終了する。
【００９９】
送信タイミングの変更があった場合（ステップＳ２０２においてＹＥＳの場合）、受信部３２は、図６（Ａ）や図８（Ａ）に例を示したような対応関係に基づき、送信タイミングの変更量に対応する属性情報を抽出する（ステップＳ２０４）。この属性情報には、画像データが静止画像のデータであることを示す種別情報、および、静止画像の表示位置情報が含まれる。
【０１００】
そして、画像生成部３４は、静止画像と、画像スケーリング部３３によりスケーリング処理がなされた動画像とを重畳した画像データを生成する（ステップＳ２０５）。ここで、静止画像は表示位置情報により指定される位置に重畳される。
【０１０１】
そして、表示制御部３６は、生成された画像データに基づいて、画像を表示部１１に表示させ（ステップＳ２０６）、この処理は終了する。
【０１０２】
（実施形態２）
つぎに、本発明の実施形態２について説明する。実施形態２における表示装置１０の構成は、図１、図２に示したものとほぼ同様であるが、実施形態１では、属性情報の送信が、データイネーブル信号の送信タイミングの変更により実行されるのに対し、実施形態２では、属性情報の送信が、垂直同期信号や水平同期信号の幅の変更により実行される。以下にこの点について詳しく説明する。
【０１０３】
まず、実施形態２に係る送信部２６、受信部３１、３２の構成を、図２を用いて説明する。実施形態２の送信部２６における信号変更部２６２は、送信装置２０の制御部２３から受信した属性情報に基づいて、垂直同期信号や水平同期信号の幅を変更する。
【０１０４】
この場合も、図６や図８に示したものと同様の対応関係が利用可能である。ただし、この場合、図６、図８の（Ｘ，Ｙ）（Ｘ＝−１，０，＋１、Ｙ＝−１，０，＋１）におけるＸは、垂直同期信号の幅の増加分、Ｙは、水平同期信号の幅の増加分を表すことになる。
【０１０５】
図１２は、垂直同期信号や水平同期信号の幅の変更処理の例を示す図である。図１２には、表示位置が右下である静止画像データを送信する場合の例について示してある。この場合、図６（Ａ）の対応関係から、垂直同期信号および水平同期信号の幅の変更量は（＋１，＋１）となるので、信号変更部２６２は、垂直同期信号の幅を１ＬＩＮＥ分長くし、水平同期信号の幅を１クロック分長くする。
【０１０６】
画像データが静止画像データであり、静止画像データの表示位置が左上、左中央、左下、中央上、中央下、右上、右中央である場合、垂直同期信号および水平同期信号の幅の変更量はそれぞれ（−１，−１）、（−１，０）、（−１，＋１）、（０，−１）、（０，＋１）、（＋１，−１）、（＋１，０）となるので、信号変更部２６２は、各変更量に応じて垂直同期信号および水平同期信号の幅を変更する。
【０１０７】
なお、表示制御装置３０に送信する画像データが動画像データである場合、図６（Ａ）の対応関係に示されるように、属性情報は無く、信号変更部２６２は、属性情報の送信を行わない。
【０１０８】
すなわち、信号変更部２６２は、図６（Ａ）に送信タイミングの変更量が（０，０）と示されているように、垂直同期信号および水平同期信号の幅の変更は行わない。この場合、動画像データに対しては、図６（Ｂ）に示すように、２Ｋ１Ｋの画像を４Ｋ１Ｋの画像に拡大するスケーリング処理が行われる。
【０１０９】
なお、図１２では、ある水平同期信号に対してのみ、信号幅の変更を行ったが、すべての水平同期信号に対して信号幅の変更を行うこととしてもよい。
【０１１０】
図１３は、垂直同期信号や水平同期信号の幅の変更処理の他の例を示す図である。図１３では、垂直同期信号の幅が１ＬＩＮＥ分長くなるとともに、すべての水平同期信号の幅が１クロック分長くなっている。これは、図６（Ａ）の対応関係により明らかなように、静止画像データを送信する場合であって、静止画像の表示位置が右下である場合に対応する。
【０１１１】
なお、上述した例では、垂直同期信号の幅を±１ＬＩＮＥ分、水平同期信号の幅を±１クロック分変更する場合について説明したが、垂直同期信号や水平同期信号の幅の変更量はこれに限定されるものではない。
【０１１２】
図１４は、垂直同期信号や水平同期信号の幅の変更量について説明する図である。ここで、Ｈ−Ｔｏｔａｌ、Ｈ−Ｓｙｎｃ、Ｈ−Ｓｔａｒｔ、Ｈ−Ａｃｔｉｖｅ、Ｖ−Ｔｏｔａｌ、Ｖ−Ｓｙｎｃ、Ｖ−Ｓｔａｒｔ、Ｖ−Ａｃｔｉｖｅは、図９で説明したものと同様のパラメータである。
【０１１３】
例えば、図１４には、上述した各パラメータの一般的な値として、Ｈ−Ｔｏｔａｌ＝２２００、Ｈ−Ｓｙｎｃ＝１６、Ｈ−Ｓｔａｒｔ＝３８、Ｈ−Ａｃｔｉｖｅ＝１９２０という値が示されている。この場合、水平同期信号の幅の変更可能量は、図１４に示した幅を基準として、Ｈ−Ｓｙｎｃの区間の幅を左右方向に増減可能な範囲となる。すなわち、水平同期信号の幅の変更可能量は、−１５（＝０−１６＋１）〜＋２１（＝３８−１６−１）の範囲となる。ここで、「＋１」は、Ｈ−Ｓｙｎｃの区間の幅が０とならないようにするため、「−１」はＨ−Ｓｙｎｃの区間の右端がＨ−Ａｃｔｉｖｅの区間の左端と一致するのを防ぐためのものである。
【０１１４】
また、図１４には、上述した各パラメータの一般的な値として、Ｖ−Ｔｏｔａｌ＝１１２５、Ｖ−Ｓｙｎｃ＝５、Ｖ−Ｓｔａｒｔ＝２５、Ｖ−Ａｃｔｉｖｅ＝１０８０という値が示されている。この場合、垂直同期信号の幅の変更可能量は、図１４に示した幅を基準として、Ｖ−Ｓｙｎｃの区間の幅を上下方向に増減可能な範囲となる。すなわち、垂直同期信号の幅の変更可能量は、−４（＝０−５＋１）〜＋１９（＝２５−５−１）の範囲となる。ここで、「＋１」は、Ｖ−Ｓｙｎｃの区間の幅が０とならないようにするため、「−１」はＶ−Ｓｙｎｃの区間の下端がＶ−Ａｃｔｉｖｅの区間の上端と一致するのを防ぐためのものである。
【０１１５】
よって、この場合、静止画像データの表示位置として、８２８（＝（１５＋２１）×（４＋１９））の位置を表現することができる。また、さらに表示位置情報の種類を増やす場合には、図４に示したような水平同期信号の幅の変更量を、水平同期信号ごとに別々に設定することとすればよい。
【０１１６】
図２の説明に戻ると、送信処理部２６３は、表示制御装置３０の受信部３１、３２に対して、画像データ、垂直同期信号、水平同期信号、データイネーブル信号を送信する処理部である。送信処理部２６３は、動画像データ４０１、４０２と、静止画像データ４１１、４１２を交互に送信する。また、垂直同期信号、水平同期信号は、図１２や図１３で説明したような方法で、画像データの種別情報と表示位置情報とが埋め込まれた信号である。
【０１１７】
また、表示制御装置３０の受信処理部３１１は、送信装置２０の送信部２６により送信された画像データ、垂直同期信号、水平同期信号、データイネーブル信号を受信する。受信バッファ３１２は、受信処理部３１１が受信した画像データを一時的に記憶する。
【０１１８】
属性情報抽出部３１３は、受信処理部３１１が受信した垂直同期信号、水平同期信号の幅の変更量を検出し、図６（Ａ）や図８（Ａ）に示したような対応関係を用いて、画像データの属性情報を抽出する。
【０１１９】
垂直同期信号、水平同期信号の幅の変更量の検出は、属性情報抽出部３１３が記憶している垂直同期信号、水平同期信号の幅の規定値からのずれを検出することにより行われる。上述したように、この属性情報には、画像データの種別情報および表示位置情報が含まれる。
【０１２０】
このように、垂直同期信号、水平同期信号の幅の変更量と属性情報との間の対応関係を示す情報に基づいて、垂直同期信号、水平同期信号の幅を変更し、また、属性情報を抽出することとしたので、画像データの属性情報を送信するために新たな信号を設けることなく、既存の垂直同期信号、水平同期信号を用いて属性情報の伝達を効果的に行うことができる。
【０１２１】
つぎに、送信装置２０の送信部２６が行う属性信号の送信処理について説明する。図１５は、送信装置２０の送信部２６が行う属性信号の送信処理の処理手順を示すフローチャートである。
【０１２２】
まず、送信部２６は、フレーム切替制御部２５から同期トリガ信号を受信すると（ステップＳ３０１）、制御部２３により生成された属性情報があるか否かを判定する（ステップＳ３０２）。
【０１２３】
属性情報がない場合（ステップＳ３０２においてＮＯの場合）、送信部２６は、予め規定された幅で垂直同期信号および水平同期信号を送信し（ステップＳ３０３）、この処理は終了する。
【０１２４】
属性情報がある場合（ステップＳ３０２においてＹＥＳの場合）、送信部２６は、図６（Ａ）や図８（Ａ）に例を示したような対応関係に基づき、属性情報に対応する垂直同期信号および水平同期信号の幅の変更量を決定する（ステップＳ３０４）。
【０１２５】
そして、送信部２６は、決定された幅の垂直同期信号および水平同期信号を表示制御装置３０に送信し（ステップＳ３０５）、この処理は終了する。
【０１２６】
つぎに、表示制御装置３０が行う画像表示処理の処理手順について説明する。図１６は、表示制御装置３０が行う画像表示処理の処理手順の一例を示すフローチャートである。
【０１２７】
まず、表示制御装置３０の受信部３２は、垂直同期信号および水平同期信号を検出する（ステップＳ４０１）。そして、受信部３２は、垂直同期信号および水平同期信号の幅の変更があったか否かを判定する（ステップＳ４０２）。
【０１２８】
垂直同期信号および水平同期信号の幅の変更がなかった場合（ステップＳ４０２においてＮＯの場合）、表示制御部３６は、画像スケーリング部３３によりスケーリング処理がなされた動画像を表示部１１に表示させ（ステップＳ４０３）、この処理は終了する。
【０１２９】
送信タイミングの変更があった場合（ステップＳ４０２においてＹＥＳの場合）、受信部３２は、図６（Ａ）や図８（Ａ）に例を示したような対応関係に基づき、垂直同期信号および水平同期信号の幅の変更量に対応する属性情報を抽出する（ステップＳ４０４）。この属性情報には、画像データが静止画像のデータであることを示す種別情報、および、静止画像の表示位置情報が含まれる。
【０１３０】
そして、画像生成部３４は、静止画像と、画像スケーリング部３３によりスケーリング処理がなされた動画像とを重畳した画像データを生成する（ステップＳ４０５）。ここで、静止画像は表示位置情報により指定される位置に重畳される。
【０１３１】
そして、表示制御部３６は、生成された画像データに基づいて、画像を表示部１１に表示させ（ステップＳ４０６）、この処理は終了する。
【０１３２】
また、本発明は上述した実施形態に限定されず、本発明の要旨を逸脱しない範囲内で各種の変形、修正が可能である。
【０１３３】
例えば、本発明を、ＬＶＤＳ（Ｌｏｗ  Ｖｏｌｔａｇｅ  Ｄｉｆｆｅｒｅｎｔｉａｌ  Ｓｉｇｎａｌｉｎｇ）の技術に適用することもできる。図１７は、本発明が適用されたＬＶＤＳ技術について説明する図である。
【０１３４】
図１７に示す送信部２６、受信部３１は、図１に示す送信装置２０、表示制御装置３０において送信部２６、受信部３１としてそれぞれ用いられる。
【０１３５】
図１７に示す送信部２６は、送信バッファ２６１、信号変更部２６２、送信処理部２６３を備える。
【０１３６】
送信バッファ２６１は、画像データを一時的に蓄積するバッファメモリである。信号変更部２６２は、送信装置２０の制御部２３から受信した属性情報に基づいて、実施形態１と同様の方法でデータイネーブル信号の送信タイミングを変更したり、実施形態２と同様の方法で垂直同期信号や水平同期信号の幅を変更したりする処理部である。
【０１３７】
送信処理部２６３は、表示制御装置３０の受信部３１、３２に対して、画像データ、垂直同期信号、水平同期信号、データイネーブル信号を送信する処理部である。なお、垂直同期信号、水平同期信号、または、データイネーブル信号は、画像データの種別情報と表示位置情報とが埋め込まれた信号である。
【０１３８】
ここで、送信処理部２６３は、画像データ、垂直同期信号、水平同期信号、データイネーブル信号のパラレル信号をシリアル信号に変換し、この変換により得られたシリアル信号を差動信号として出力する。
【０１３９】
一方、表示制御装置３０の受信部３１は、受信処理部３１１、受信バッファ３１２、属性情報抽出部３１３を備える。
【０１４０】
受信処理部３１１は、送信装置２０の送信部２６により送信されたシリアル信号を受信し、受信したシリアル信号をパラレル信号に変換する処理部である。このパラレル信号には、画像データ、垂直同期信号、水平同期信号、データイネーブル信号が含まれる。受信バッファ３１２は、受信処理部３１１が受信した画像データを一時的に記憶するバッファメモリである。
【０１４１】
属性情報抽出部３１３は、受信処理部３１１が受信したデータイネーブル信号の送信タイミングの変更量、または、垂直同期信号や水平同期信号の幅の変更量を検出し、実施形態１や実施形態２で説明したような対応関係を用いて、画像データの属性情報を抽出する処理部である。上述したように、この属性情報は、画像データの種別情報および表示位置情報を含む。
【０１４２】
そして、この属性情報を用いて、静止画像と動画像とが重畳され、その結果得られた画像が表示される。具体的には、画像データが静止画像データであることを種別情報が示している場合、表示位置情報により指定される位置に静止画像が配置され、その静止画像と動画像とが重畳された画像が表示される。また、画像データが静止画像データでないことを種別情報が示している場合、スケーリング処理が適用された動画像がそのまま表示される。このように、本発明は、ＬＶＤＳの技術にも適用することができる。
【符号の説明】
【０１４３】
１０…表示装置、１１…表示部、２０…送信装置、２１…チューナ部、２２…デコード部、２３…制御部、２４…フレーム切替部、２５…フレーム切替制御部、２６…送信処理部、２６１…送信バッファ、２６２…信号変更部、２６３…送信処理部、３０…表示制御装置、３１，３２…受信部、３１１…受信処理部、３１２…受信バッファ、３１３…属性情報抽出部、３３…画像スケーリング部、３４…画像生成部、３５…画質調整部、３６…表示制御部、３７…制御部。
【図１】
2013198025.tif 000003
【図２】
2013198025.tif 000004
【図３】
2013198025.tif 000005
【図４】
2013198025.tif 000006
【図５】
2013198025.tif 000007
【図６】
2013198025.tif 000008
【図７】
2013198025.tif 000009
【図８】
2013198025.tif 000010
【図９】
2013198025.tif 000011
【図１０】
2013198025.tif 000012
【図１１】
2013198025.tif 000013
【図１２】
2013198025.tif 000014
【図１３】
2013198025.tif 000015
【図１４】
2013198025.tif 000016
【図１５】
2013198025.tif 000017
【図１６】
2013198025.tif 000018
【図１７】
2013198025.tif 000019